(57)【要約】 【課題】多品種少量の鋳物生産に適確に対応させて注湯後の生型の冷却時間を生型毎に選択・調節可能な注湯済み生型の冷却ラインを提供する。【解決手段】生型を内蔵した複数の鋳枠Ｆを直線状に連ねて移送可能でありかつ互いに平行して並設された少なくとも３個以上の奇数個の移送手段７から９と、移送手段の両端の外側位置に設置されこれら移送手段の間を鋳枠を搬送する２個の搬送手段１０，１１と、移送手段の両端のそれぞれの近傍位置に前記搬送手段を挟んで設置され、搬送手段上の鋳枠を対向する移送手段に押し出す押出し機能と移送手段上に押し出された鋳枠を緩和に受け止める緩衝機能とを有する押進・緩衝手段１２から１７と、を具備し、押進・緩衝手段が鋳枠を押し出しまたは緩和に受け止め、これにより、鋳枠が１個の移送手段上または３個以上の奇数個の移送手段上を移送されるようにしたことを特徴とする。【選択図】     図４
2009050910.tif 000002
【特許請求の範囲】
【請求項１】
注湯済み生型を一時的に滞留させて生型内の溶湯を冷却するに当たり、その生型の滞留時間を選択・調節可能なラインであって、
前記生型を内蔵した複数の鋳枠を直線状に連ねて移送可能でありかつ互いに平行して並設された少なくとも３個以上の奇数個の移送手段と、
これら移送手段の両端の外側位置に設置されこれら移送手段の間を前記鋳枠を搬送する２個の搬送手段と、
前記移送手段の両端のそれぞれの近傍位置に前記搬送手段を挟んで設置され、この搬送手段上の前記鋳枠を対向する前記移送手段に押し出す押出し機能と、前記移送手段上に押し出された前記鋳枠を緩和に受け止める緩衝機能とを有する押進・緩衝手段と、
を具備し、
前記押進・緩衝手段が前記鋳枠を押し出しまたは緩和に受け止め、これにより、前記鋳枠が１個の前記移送手段上または３個以上の奇数個の前記移送手段上を移送されるようにしたことを特徴とする注湯済み生型の冷却ライン。
【請求項２】
請求項１に記載の注湯済み生型の冷却ラインにおいて、
前記移送手段は、前記鋳枠を載せる定盤台車と、複数の定盤台車を移動自在に装架させる一対の第１レールと、を含むことを特徴とする注湯済み生型の冷却ライン。
【請求項３】
請求項１または２に記載の注湯済み生型の冷却ラインにおいて、
前記搬送手段は、前記定盤台車を移動自在に載せる自走式の台車と、この台車を移動自在に装架させる一対の第２レールと、を含むことを特徴とする注湯済み生型の冷却ライン。
【請求項４】
請求項１から３のうちいずれか１項に記載の注湯済み生型の冷却ラインにおいて、
前記押進・緩衝手段は、押進機能および緩衝機能を生成する手段を付設した油圧シリンダまたは電動シリンダであることを特徴とする注湯済み生型の冷却ライン。
【請求項５】
請求項１から４のうちいずれか１項に記載の注湯済み生型の冷却ラインにおいて、
前記移送手段上の先端の前記鋳枠をそれぞれ位置決めする位置決め手段を前記移送手段の両端付近にそれぞれ別途配設したことを特徴とする注湯済み生型の冷却ライン。
【請求項６】
請求項５に記載の注湯済み生型の冷却ラインにおいて、
前記位置決め手段は、前記移送手段に沿って搬送台車を前後に移動させながら位置決め可能なフックを含むことを特徴とする注湯済み生型の冷却ライン。
【発明の詳細な説明】
【技術分野】
【０００１】
本発明は、注湯済み生砂鋳型（以下「生型」と略称する）を一時的に滞留させて生型内の溶湯を冷却するに当たり、その生型の滞留時間を選択・調節可能なラインに関する。
【背景技術】
【０００２】
従来、この種のラインの一つとして、注湯済みの生型を内蔵した複数の鋳枠を直線状に連ねて成る鋳枠群を、プッシャシリンダによって１鋳枠のピッチで押し出すとともに、押し出された鋳枠群をクッションシリンダによって減速・停止させるように構成された冷却ラインを、複数並設し、かつ冷却ラインのクッションシリンダ側の外側位置にトラバーサラインを設置して、溶湯が冷却した生型内臓の鋳枠をトラバーサラインを介して所定方向へ送り出すように構成したものがある。
【特許文献１】特開２００１−１９８６６８号公報    図１
【発明の開示】
【発明が解決しようとする課題】
【０００３】
ところで、一般に、生型への鋳込み重量や鋳物素材の材質が多岐にわたる多品種少量の鋳物生産においては注湯後の生型の冷却時間が生型毎に相違しており、したがって、上述のように構成された従来の注湯済み生型の冷却ラインでは、多品種少量の鋳物生産に適確に対応することができない。このため、多品種少量の鋳物生産に対応させて注湯後の生型の冷却時間を生型毎に選択・調節可能な注湯済み生型の冷却ラインの開発が、この種の業界から要請されていた。
本発明は、上記の事情に鑑みてなされたもので、その目的は、多品種少量の鋳物生産に適確に対応させて注湯後の生型の冷却時間を生型毎に選択・調節可能な注湯済み生型の冷却ラインを提供することにある。
【課題を解決するための手段】
【０００４】
上記の目的を達成するため本発明の注湯済み生型の冷却ラインは、注湯済み生型を一時的に滞留させて生型内の溶湯を冷却するに当たり、その生型の滞留時間を選択・調節可能なラインであって、前記生型を内蔵した複数の鋳枠を直線状に連ねて移送可能でありかつ互いに平行して並設された少なくとも３個以上の奇数個の移送手段と、これら移送手段の両端の外側位置に設置されこれら移送手段の間を前記鋳枠を搬送する２個の搬送手段と、
前記移送手段の両端のそれぞれの近傍位置に前記搬送手段を挟んで設置され、この搬送手段上の前記鋳枠を対向する前記移送手段に押し出す押出し機能と、前記移送手段上に押し出された前記鋳枠を緩和に受け止める緩衝機能とを有する押進・緩衝手段と、を具備し、
前記押進・緩衝手段が前記鋳枠を押し出しまたは緩和に受け止め、これにより、前記鋳枠が１個の前記移送手段上または３個以上の奇数個の前記移送手段上を移送されるようにしたことを特徴とする。
【発明の効果】
【０００５】
上記の説明から明らかなように本発明は、注湯済み生型を一時的に滞留させて生型内の溶湯を冷却するに当たり、その生型の滞留時間を選択・調節可能なラインであって、前記生型を内蔵した複数の鋳枠を直線状に連ねて移送可能でありかつ互いに平行して並設された少なくとも３個以上の奇数個の移送手段と、これら移送手段の両端の外側位置に設置されこれら移送手段の間を前記鋳枠を搬送する２個の搬送手段と、前記移送手段の両端のそれぞれの近傍位置に前記搬送手段を挟んで設置され、この搬送手段上の前記鋳枠を対向する前記移送手段に押し出す押出し機能と、前記移送手段上に押し出された前記鋳枠を緩和に受け止める緩衝機能とを有する押進・緩衝手段と、を具備し、前記押進・緩衝手段が前記鋳枠を押し出しまたは緩和に受け止め、これにより、前記鋳枠が１個の前記移送手段上または３個以上の奇数個の前記移送手段上を移送されるようにしたから、多品種少量の鋳物生産に当たり、注湯後の生型の冷却時間を生型毎に適確に選択・調節することが可能になるなどの優れた実用的効果を奏する。
【発明の実施の形態】
【０００６】
以下、本発明の注湯済み生型の冷却ラインを適用した生型の造型・冷却ラインの実施例について図1から図７に基づき詳細に説明する。本生型の造型・冷却ラインは、図１に示すように、生型造型機１を備えて生型を造型する生型造型ライン２と、注湯機３を備えて生型に注湯する注湯ライン４と、注湯された生型を冷却する注湯済み生型の冷却ライン５と、で構成してある。
【０００７】
そして、前記注湯済み生型の冷却ライン５は、図１および図２に示すように、前記生型を内蔵した複数の鋳枠Ｆを直線状に連ねて移送可能でありかつ互いに平行して並設された３個の移送手段７から９と、これら移送手段７から９の両端の外側位置に設置されてこれら移送手段７から９の間を前記鋳枠Ｆを搬送する第１搬送手段１０および第２搬送手段１１と、３個の前記移送手段７から９のそれぞれの両端の近傍位置に前記第１搬送手段１０、第２搬送手段１１をそれぞれ挟んで設置され、第１搬送手段１０または第２搬送手段１１上の前記鋳枠Ｆを、前記移送手段７から９のうち対向するものに押し出す押出し機能と、前記搬送手段に押し出された前記鋳枠Ｆを緩和に受け止める緩衝機能とを有する押進・緩衝手段としての油圧シリンダ１２から１７と、で構成してある。
なお、油圧シリンダ１２から１７のそれぞれは、図２に示すように、油圧シリンダの先端と鋳枠Ｆとの隙間を、鋳枠Ｆの長さに加算した寸法を、ストロークとして有している。
【０００８】
また、前記移送手段７から９のそれぞれは、図２に示すように、前記鋳枠Ｆを載せる定盤台車１８と、複数の定盤台車１８を移動自在に装架させる一対の第１レール１９とで構成してある。また、前記第１搬送手段１０は、前記定盤台車１８を移動自在に載せる自走式の台車２０と、この台車２０を移動自在に装架させる一対の第２レール２１とで構成してある。また、前記第２搬送手段１１は、前記第１搬送手段１０と同様に、前記定盤台車１８を移動自在に載せる自走式の台車４０と、この台車４０を移動自在に装架させる一対の第３レール４１とで構成してある。さらに、前記油圧シリンダ１２から１７のそれぞれには、図３に示すように、油圧回路２２が接続してあり、この油圧回路２２は、油圧シリンダ１２から１７のそれぞれに押出し機能を付与する押出し回路２３と、油圧シリンダ１２から１７のそれぞれに緩衝機能を付与する緩衝回路２４を備えている。
【０００９】
そして、前記押出し回路２３においては、図示しない油圧ポンプが、油圧シリンダの作動方向と速度を切り換える比例制御弁２５、比例制御弁２５が中立の位置の時に油圧シリンダの伸長作動を防止するロジック弁２６、および配管２７を順に介して油圧シリンダの伸長作動用ポートに接続してあり、また、前記比例制御弁２５は作動油の流れの方向を切り換える２位置４方口電磁式の第１方向切換弁２８を介して油圧シリンダの収縮作動用ポートに接続してある。さらに、第１方向切換弁２８には、前記緩衝回路２４における緩衝機能に必要な高圧油と低圧油を切り換える２位置４方口電磁式の第２方向切換弁２９が付設してある。また、前記比例制御弁２５にはコントローラ３０が接続してある。
なお、図中、符号３１から３３はリリーフ弁、３４はチェック弁である。
【００１０】
上述の油圧回路２２により、例えば、図３に示すように、緩衝機能を生成するようにした油圧シリンダ１５を伸長作動したのち、押出し機能を生成するようにした油圧シリンダ１４を伸長作動して台車４０上の定盤台車１８を第１レール１９上に矢印３５で示す方向へ押し出すとともに油圧シリンダ１５で受け止める場合、油圧ポンプからの加圧油の圧力が比例制御弁２５によって制御されて、油圧シリンダ１4の伸長作動は最初低速で、続いて、高速で、その後伸長状態が維持される。他方、油圧シリンダ１５の収縮作動は、最初低圧の作動油で加速されたのち一定速度になり、続いて、高圧の作動油の下に減速状態となり、その後収縮状態が維持される。この結果、油圧シリンダ１４は定盤台車１８を高速で押し出すとともに、油圧シリンダ１５は押し出された定盤台車１８を緩和に受け止めることになる
【００１１】
また、図２に示すように、前記移送手段７から９のそれぞれの両端付近には、移送手段上の前記鋳枠群６の両端部の鋳枠Ｆをそれぞれ位置決めする位置決め手段３６および３７が別途配設してあり、これら位置決め手段３６および３７のそれぞれは、上下回動可能に構成されたフック３８と、このフック３８を上下回動させる横向きの油圧シリンダ３９と、を備えている。
なお、前記位置決め手段３６および３７を用いることにより、定盤台車１８、１８間の隙間分送り足らずとなる定盤台車１８を若干量送り込みながら位置決めして、この定盤台車１８の前後の定盤台車１８、１８との間に隙間を設けることができる。
【００１２】
このように構成したものは、注湯後の生型の滞留時間が比較的短い場合には、図１に示すように、その生型を内蔵した鋳枠Ｆを載せた定盤台車１８を第１搬送手段１０の台車２０上に載せたのち、この台車２０を第２レール２１を介して矢印５１で示す方向へ間歇的に移動させる。次いで、緩衝機能を生成するようにした油圧シリンダ１２を伸長作動したのち、押出し機能を生成するようにした油圧シリンダ１３を伸長作動して台車２０上の定盤台車１８を移送手段７の第１レール１９上に矢印５２で示す方向へ押し出すとともに油圧シリンダ１２で受け止める。以上の動作を繰り返して注湯後の生型を内蔵した鋳枠Ｆを複数、移送手段７の第１レール１９上に並べる。同様にして他の移送手段８および９の第１レール１９上にも注湯後の生型を内蔵した鋳枠Ｆを並べて注湯後の生型を冷却する。そして、生型内の溶湯が冷却する所要時間が経過したのち第２搬送手段１１の台車４０により第３レール４１を介して冷却した生型を内蔵の鋳枠Ｆを生型ばらしステーションに搬送する。
【００１３】
また、注湯後の生型の滞留時間が長く必要な場合には、図４に示すように、まず図１に示す場合と同様に、緩衝機能を生成するようにした油圧シリンダ１２を伸長作動したのち、押出し機能を生成するようにした油圧シリンダ１３を伸長作動して台車２０上の定盤台車１８を移送手段７の第１レール１９上に矢印５３で示す方向へ押し出すとともに油圧シリンダ１２で受け止め、注湯済み生型内蔵の鋳枠Ｆを複数移送手段７の第１レール１９上に並べて鋳枠群６を形成したのち、この鋳枠群６の先端の鋳枠Ｆを第２搬送手段１１の台車４０上に載せ、続いて、この台車４０を第３レール４１を介して矢印５４で示す方向へ１レーン移動させる。次いで、緩衝機能を生成するようにした油圧シリンダ１５を伸長作動したのち、押出し機能を生成するようにした油圧シリンダ１４を伸長作動して台車４０上の定盤台車１８を、移送手段８の第１レール１９上に矢印５５で示す方向へ押し出すとともに、油圧シリンダ１５で受け止める。以上の動作を繰り返して注湯済み生型を内蔵の鋳枠Ｆを複数、移送手段８の第１レール１９上に並べる（図５参照）。
同様にして、注湯済み生型を内蔵の鋳枠Ｆを複数、移送手段９の第１レール１９上にも並べる。生型内の溶湯が冷却する所要時間が経過した後、移送手段９の鋳枠群６の先端の鋳枠Ｆを搬送手段１１の台車４０上に載せ、続いて、この台車４０を第３レール４１を介して矢印５６で示す方向へ移動させ、生型ばらしステーションに搬送する。
【００１４】
なお、上記の実施例では押進・緩衝手段として、油圧回路２２を備えた油圧シリンダを用いたが、これに限定されるものではなく、例えば、図６および図７に示すように、押進・緩衝手段としての機能を備えた電動シリンダを用いるようにしてもよい。すなわち、前記移送手段７から９の両端の近傍位置に前記第１搬送手段１０、前記第２搬送手段１１をそれぞれ挟んで対向する前記移送手段に押し出す押出し機能と前記搬送手段上に押し出された前記鋳枠Ｆを緩和に受け止める緩衝機能とを有する押進・緩衝手段としての電動シリンダ６２から６７をそれぞれ配設するようにしてもよい。
【００１５】
またなお、電動シリンダ６２から６７は、供給する電力の大きさを制御することにより、押出し力を変化させて押出し機能を生成し、または抵抗力の大きさを変化させて緩衝手段としての機能を生成することもできる。
またなお、上記の実施例では移送手段は３個設けてあるが、これに限定されるものではなく、３個以上の奇数個であればいくつでもよい。
【図面の簡単な説明】
【００１６】
【図１】本発明を適用した注湯済み生型の冷却ラインの一実施例の平面図である。
【図２】図１の場合におけるＡ−Ａ矢視図である。
【図３】図１の油圧シリンダの油圧回路図である。
【図４】図１に示す注湯済み生型の冷却ラインの作動説明図である。
【図５】図４の場合におけるＡ−Ａ矢視図である。
【図６】本発明を適用した注湯済み生型の冷却ラインの他の実施例における図２の対応図である。
【図７】本発明を適用した注湯済み生型の冷却ラインの他の実施例における図５の対応図である。
【符号の説明】
【００１７】
７；８；９    移送手段
１０    第１搬送手段
１１    第２搬送手段
１２；１３；１４；１５；１６；１７    油圧シリンダ
【図１】
2009050910.tif 000003
【図２】
2009050910.tif 000004
【図３】
2009050910.tif 000005
【図４】
2009050910.tif 000006
【図５】
2009050910.tif 000007
【図６】
2009050910.tif 000008
【図７】
2009050910.tif 000009